(57)【特許請求の範囲】
【請求項１】
洗浄槽と、前記洗浄槽内に配置し食器を収納する食器かごと、前記洗浄槽の底部中央に位置し水平方向に回転しながら洗浄水を噴射する水平ノズルと、前記水平ノズルの上部中心で前記水平ノズルに固定された略円筒状のノズル管と、前記ノズル管の内側に水圧により昇降自在に配置し洗浄水を噴射するタワーノズルと、前記水平ノズルとタワーノズルに洗浄水を圧送する洗浄ポンプとを備え、前記水平ノズルの中央の下方に設けた入水口の上方に、前記入水口から圧送された洗浄水を衝突させて前記水平ノズルの両端方向へ分流する整流壁を設け、前記洗浄ポンプの起動時に前記タワーノズルへの水撃を緩和するようにした食器洗い機。
【請求項２】
水平ノズルとノズル管との連結部は、タワーノズルの下端の外周よりも小さい連絡穴と、その連絡穴の外側に設けた複数の通水穴によって構成した請求項１記載の食器洗い機。
【請求項３】
洗浄槽と、前記洗浄槽内に配置し食器を収納する食器かごと、前記洗浄槽の底部中央に位置し水平方向に回転しながら洗浄水を噴射する水平ノズルと、前記水平ノズルの上部中心で前記水平ノズルに固定された略円筒状のノズル管と、前記ノズル管の内側に水圧により昇降自在に配置し洗浄水を噴射するタワーノズルと、前記水平ノズルとタワーノズルに洗浄水を圧送する洗浄ポンプと、前記洗浄ポンプの動作を制御する制御手段とを備え、前記制御手段は、前記洗浄ポンプを起動時に、前記タワーノズルが圧送された洗浄水によって上昇して前記ノズル管に衝突しない短時間動作させた後短時間停止する間欠動作を任意の回数行った後、連続動作を行うように構成した食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
近年、洗浄槽内で回転するノズルから噴射される洗浄水によって食器かごに収納された食器を洗浄する食器洗い機が主流となっている。
【０００３】
従来、この種の食器洗い機は図８に示すように構成していた。以下、その構成について説明する。
【０００４】
図８に示すように、洗浄槽１は、前方に開口部を有し、この開口部を扉２により開閉するとともに、内部に洗浄水を噴射する水平ノズル３を回転自在に設けており、洗浄槽１内に食器４を収納する食器かご５を配置している。水平ノズル３には、図９に示すように、その中心軸上に略円筒状のノズル管６が固定されており、ノズル管６の内側には略円錐形状のタワーノズル７を水圧により昇降自在になるように内蔵している。
【０００５】
洗浄槽１内の洗浄水はヒータ８によって温水化され、洗浄ポンプ９にて排水口１０に備えた残滓フィルター１１から吸い込まれ、水平ノズル３に圧送される。このとき、水圧によってタワーノズル７は上昇し、回転する水平ノズル３およびタワーノズル７より勢いよく噴射される洗浄水によって、食器かご５に収納された食器４を洗浄するように構成している。
【０００６】
制御装置１２は、ヒータ８、洗浄ポンプ９を駆動するモータ１３などの動作を制御し、洗浄、すすぎ、乾燥などの一連の行程を逐次制御する。
【０００７】
【発明が解決しようとする課題】
このような従来の食器洗い機においては、運転停止時には、タワ−ノズル７ははその自重によって最も下方に位置し、洗浄ポンプ９が起動し洗浄水が圧送されるとその水圧によって上昇し、ノズル管６と当接して洗浄水を噴射する。このとき、洗浄水の水撃によってタワーノズル７のフランジ部１４がノズル管６の円環部１５に衝突して、耳障りな音が発生し、使用者に不快感を与える場合がある。
【０００８】
本発明は上記課題を解決するもので、洗浄ポンプの起動時におけるタワーノズルとノズル管との衝突時の衝撃を緩和し、音の発生を防ぎ、より快適に使用できるようにすることを目的としている。
【０００９】
【課題を解決するための手段】
本発明は上記目的を達成するために、食器を収納する食器かごを配置した洗浄槽の底部中央に水平方向に回転しながら洗浄水を噴射する水平ノズルを配設し、水平ノズルの上部中心に略円筒状のノズル管を固定し、ノズル管の内側に洗浄水を噴射するタワーノズルを水圧により昇降自在に配置し、洗浄ポンプにより水平ノズルとタワーノズルに洗浄水を圧送するよう構成し、水平ノズルの中央の下方に設けた入水口の上方に、入水口から圧送された洗浄水を衝突させて水平ノズルの両端方向へ分流する整流壁を設け、洗浄ポンプの起動時にタワーノズルへの水撃を緩和するようにしたものである。
【００１０】
また、本発明は上記目的を達成するために、食器を収納する食器かごを配置した洗浄槽の底部中央に水平方向に回転しながら洗浄水を噴射する水平ノズルを配設し、水平ノズルの上部中心に略円筒状のノズル管を固定し、ノズル管の内側に洗浄水を噴射するタワーノズルを水圧により昇降自在に配置し、洗浄ポンプにより水平ノズルとタワーノズルに洗浄水を圧送するよう構成し、洗浄ポンプを起動時に、タワーノズルが圧送された洗浄水によって上昇してノズル管に衝突しない短時間動作させた後短時間停止する間欠動作を任意の回数行った後、連続動作を行うようにして、洗浄ポンプの起動時にタワーノズルへの水撃を緩和するようにしたものである。
【００１１】
これにより、洗浄ポンプの起動時におけるタワーノズルとノズル管との衝突時の衝撃を緩和することができ、音の発生を防ぎ、より快適に使用することができる。
【００１２】
【発明の実施の形態】
本発明の請求項１に記載の発明は、洗浄槽と、前記洗浄槽内に配置し食器を収納する食器かごと、前記洗浄槽の底部中央に位置し水平方向に回転しながら洗浄水を噴射する水平ノズルと、前記水平ノズルの上部中心で前記水平ノズルに固定された略円筒状のノズル管と、前記ノズル管の内側に水圧により昇降自在に配置し洗浄水を噴射するタワーノズルと、前記水平ノズルとタワーノズルに洗浄水を圧送する洗浄ポンプとを備え、前記水平ノズルの中央の下方に設けた入水口の上方に、前記入水口から圧送された洗浄水を衝突させて前記水平ノズルの両端方向へ分流する整流壁を設け、前記洗浄ポンプの起動時に前記タワーノズルへの水撃を緩和するようにしたものであり、洗浄ポンプの起動時におけるタワーノズルとノズル管との衝突時の衝撃を緩和することができ、音の発生を防ぐことができて、より快適に使用することができる。
【００１３】
請求項２に記載の発明は、上記請求項１に記載の発明において、水平ノズルとノズル管との連結部は、タワーノズルの下端の外周よりも小さい連絡穴と、その連絡穴の外側に設けた複数の通水穴によって構成したものであり、洗浄ポンプの起動時に水平ノズル内へ圧送される洗浄水を整流壁によって分流し、タワーノズル内部への水撃を緩和するとともに、タワーノズルとノズル管との間に洗浄水を浸入させることにより、タワーノズルとノズル管との衝突の衝撃を緩和することができ、音の発生を防ぐことができて、より快適に使用することができる。
【００１４】
請求項３に記載の発明は、洗浄槽と、前記洗浄槽内に配置し食器を収納する食器かごと、前記洗浄槽の底部中央に位置し水平方向に回転しながら洗浄水を噴射する水平ノズルと、前記水平ノズルの上部中心で前記水平ノズルに固定された略円筒状のノズル管と、前記ノズル管の内側に水圧により昇降自在に配置し洗浄水を噴射するタワーノズルと、前記水平ノズルとタワーノズルに洗浄水を圧送する洗浄ポンプと、前記洗浄ポンプの動作を制御する制御手段とを備え、前記制御手段は、前記洗浄ポンプを起動時に、前記タワーノズルが圧送された洗浄水によって上昇して前記ノズル管に衝突しない短時間動作させた後短時間停止する間欠動作を任意の回数行った後、連続動作を行うように構成したものであり、洗浄ポンプの起動時に水平ノズル内へ圧送される洗浄水を短い周期で脈動させることにより、タワーノズルの上昇速度を低減し、タワーノズルとノズル管との衝突時の衝撃を緩和することができ、音の発生を防ぐことができて、より快適に使用することができる。
【００１５】
【実施例】
以下、本発明の実施例について、図面を参照しながら説明する。なお、従来例と同じ構成のものは同一符号を付して説明を省略する。
【００１６】
（実施例１）
図１および図２に示すように、水平ノズル１６は、中央の下方に入水口１７を有し、入水口１７の上方に下方側が凸形状のＶ字型の整流壁１８を設けている。タワーノズル１９のフランジ部２０の外周の直径Ｄ１は水平ノズル１６の上面中央に設けた連絡穴２１の直径Ｄ２よりも大きく、タワーノズル１９が最下方に位置するときでも水平ノズル１６の内部に沈降することはなく、水平ノズル１６の両端への入口２２は常に開放状態となっている。他の構成は従来例と同じである。
【００１７】
上記構成において作用を説明すると、洗浄ポンプ９が起動すると、洗浄水が水平ノズル１６内へ圧送され、整流壁１８に衝突し入口２２より水平ノズル１６の両端の方向へ分流される。一旦水平ノズル１６内を通過した洗浄水は、再び水平ノズル１６の中央に集まり、タワーノズル１９の内壁に水圧を加えてノズル管２３内を上昇させる。
【００１８】
このとき、水平ノズル１６に洗浄水が突入するときのような水撃は発生しないため、タワーノズル１９の上昇速度は小さくなり、タワーノズル１９のフランジ部２０とノズル管２３の円環部２４との衝突時の衝撃は緩和され、発生する音が小さくなるため、より快適に使用することができる。
【００１９】
（実施例２）
図３に示すように、水平ノズル１６は、中央の下方に入水口１７を有し、入水口１７の上方に下方側が凸形状のＶ字型の整流壁１８を設けている。タワーノズル１９のフランジ部２０の外周の直径Ｄ１は水平ノズル１６の上面中央に設けた連絡穴２１の直径Ｄ２よりも大きく、連絡穴２１の外側には２個の通水穴２５を配設している。他の構成は上記実施例１と同じである。
【００２０】
上記構成において作用を説明すると、洗浄ポンプ９が起動すると、洗浄水は水平ノズル１６内へ圧送され、整流壁１８に衝突し水平ノズル１６の両端の方向へ分流され、水平ノズル１６内を通過した後、再び水平ノズル１６の中央に集まり、タワーノズル１９の内壁に水圧を加えてノズル管２３内を上昇させる。また、洗浄水の一部は通水穴２５を通ってタワーノズル１９とノズル管２３との間に浸入する。
【００２１】
このとき、水平ノズル１６に洗浄水が突入するときのような水撃は発生しないため、タワーノズル１９の上昇速度は小さくなり、タワーノズル１９のフランジ部２０とノズル管２３の円環部２４との衝突時の衝撃は緩和される。また、タワーノズル１９はノズル管２３との間に通水穴２５から浸入した洗浄水を挟んで上昇するため、これによってもフランジ部２０と円環部２４との衝突時の衝撃は緩和される。
【００２２】
これらにより、洗浄ポンプ９の起動時に発生する音を小さくすることができ、より快適に使用することができる。
【００２３】
（実施例３）
図４に示すように、水平ノズル２６は、洗浄ポンプ９との間を洗浄経路部２７によって連結されており、洗浄経路部２７はその途中に上方に向かって凸形状をなす空気滞留部２８を設けている。水平ノズル２６は、従来例の水平ノズル３と同じ構成でもよく、上記実施例１の水平ノズル１６と同じ構成でもよい。
【００２４】
この水平ノズル２６の中心軸上に略円筒状のノズル管２９を固定しており、ノズル管２９の内側に略円錐形状のタワーノズル３０を昇降自在に内蔵している。ここで、ノズル管２９、タワーノズル３０は、従来例のノズル管６、タワーノズル７と同じ構成でもよく、上記実施例１のノズル管２３、タワーノズル１９と同じ構成でもよい。
【００２５】
上記構成において作用を説明すると、洗浄ポンプ９が起動すると、洗浄水は洗浄経路部２７を通って水平ノズル２６内へ圧送される。このとき、洗浄水は空気滞留部２８に滞留していた空気とともに水平ノズル２６へ送られるため、洗浄水の水平ノズル２６への突入時の水圧は減少し、タワーノズル３０がノズル管２９内を上昇する速度は小さくなり、タワーノズル３０のフランジ部３１とノズル管２９の円環部３２との衝突時の衝撃は緩和され、発生する音が小さくなるため、より快適に使用することができる。
【００２６】
（実施例４）
図５に示すように、制御装置（制御手段）３３は、ヒータ８、洗浄ポンプ９を駆動するモータ１３などの動作を制御し、洗浄、すすぎ、乾燥などの一連の行程を逐次制御するとともに、洗浄ポンプ９の起動時に、図６に示すように、短時間の間欠動作を任意の回数行うように構成している。
【００２７】
制御装置３３が洗浄ポンプ９を動作させる信号は、時刻Ｔ０で洗浄ポンプ９を起動し、ｔ１秒間オン状態の後、ｔ２秒間オフ状態となり、その後再びオン状態となる。このｔ１秒は非常に短い時間であり、洗浄ポンプ９が起動した後、タワーノズル３０が上昇してノズル管２９と衝突するまでの時間に設定されている。また、ｔ２秒も非常に短い時間であり、タワーノズル３０が下降し始めてタワーノズル３０の下面がノズル管２９の下面と同一高さに到達するまでの時間に設定されている。他の構成は水平ノズル２６と洗浄ポンプ９とを直接連結した点を除いて上記実施例３と同じである。
【００２８】
上記構成において作用を説明すると、洗浄ポンプ９が起動するとき、タワーノズル３０は洗浄水の水撃によって一度浮上するが、制御手段３３からの信号によってｔ１秒後に洗浄ポンプ９が停止するため、ノズル管２９と衝突する前に下降し始め、衝突の音は発生しない。
【００２９】
また、ｔ２秒後には再び洗浄ポンプ９が起動するため、タワーノズル３０は上昇し、ノズル管２９と衝突し、当接して回転を始める。このとき、洗浄水の一部がタワーノズル３０とノズル管２９との間に浸入し、水平ノズル２６に洗浄水が突入するときのような水撃は発生しないため、タワーノズル３０の上昇速度は小さくなり、また、タワーノズル３０はノズル管２９との間に洗浄水を挟んで上昇するため、フランジ部３１と円環部３２との衝突時の衝撃は緩和される。
【００３０】
このようにして、洗浄ポンプ９の起動時に発生する音を小さくすることができ、より快適に使用することができる。
【００３１】
（実施例５）
図７に示すように、タワーノズル３０のフランジ部３１の上面にはゴム製で断面が長方形の緩衝部材３４を貼り付けており、ノズル管２９の円環部３２の下面側には断面が略Ｖ字形状の円形の突起部３５を設けている。他の構成は水平ノズル２６と洗浄ポンプ９とを直接連結した点を除いて上記実施例３と同じである。
【００３２】
上記構成において作用を説明すると、洗浄ポンプ９が起動すると、洗浄水が水平ノズル２６内へ圧送され、タワーノズル３０の内壁に水圧を加えてノズル管２９内を上昇させる。このとき、緩衝部材３４によってノズル管２９とタワーノズル３０との衝突時の衝撃を吸収することができ、タワーノズル３０のフランジ部３１とノズル管２９の円環部３２との衝突時の衝撃は緩和され、発生する音が小さくなるため、より快適に使用することができる。
【００３３】
また、緩衝部材３４が弾性を有しているため、突起部３５が緩衝部材３４と圧接することにより、この部分からの水漏れを防止し、より洗浄効率を向上することができる。
【００３４】
【発明の効果】
以上のように本発明の請求項１に記載の発明によれば、洗浄槽と、前記洗浄槽内に配置し食器を収納する食器かごと、前記洗浄槽の底部中央に位置し水平方向に回転しながら洗浄水を噴射する水平ノズルと、前記水平ノズルの上部中心で前記水平ノズルに固定された略円筒状のノズル管と、前記ノズル管の内側に水圧により昇降自在に配置し洗浄水を噴射するタワーノズルと、前記水平ノズルとタワーノズルに洗浄水を圧送する洗浄ポンプとを備え、前記水平ノズルの中央の下方に設けた入水口の上方に、前記入水口から圧送された洗浄水を衝突させて前記水平ノズルの両端方向へ分流する整流壁を設け、前記洗浄ポンプの起動時に前記タワーノズルへの水撃を緩和するようにしたから、洗浄ポンプの起動時におけるタワーノズルとノズル管との衝突時の衝撃を緩和することができ、音の発生を防ぐことができて、より快適に使用することができる。
【００３５】
また、請求項２に記載の発明によれば、水平ノズルとノズル管との連結部は、タワーノズルの下端の外周よりも小さい連絡穴と、その連絡穴の外側に設けた複数の通水穴によって構成したから、タワーノズルとノズル管との間に洗浄水を浸入させることにより、タワーノズルとノズル管との衝突の衝撃を緩和することができ、音の発生を防ぐことができて、より快適に使用することができる。
【００３６】
また、請求項３に記載の発明によれば、洗浄槽と、前記洗浄槽内に配置し食器を収納する食器かごと、前記洗浄槽の底部中央に位置し水平方向に回転しながら洗浄水を噴射する水平ノズルと、前記水平ノズルの上部中心で前記水平ノズルに固定された略円筒状のノズル管と、前記ノズル管の内側に水圧により昇降自在に配置し洗浄水を噴射するタワーノズルと、前記水平ノズルとタワーノズルに洗浄水を圧送する洗浄ポンプと、前記洗浄ポンプの動作を制御する制御手段とを備え、前記制御手段は、前記洗浄ポンプを起動時に、前記タワーノズルが圧送された洗浄水によって上昇して前記ノズル管に衝突しない短時間動作させた後短時間停止する間欠動作を任意の回数行った後、連続動作を行うように構成したから、洗浄ポンプの起動時にタワーノズルの上昇速度を低減し、タワーノズルとノズル管との衝突時の衝撃を緩和することができ、音の発生を防ぐことができて、より快適に使用することができる。
【図面の簡単な説明】
【図１】  本発明の第１の実施例の食器洗い機の縦断面図
【図２】  同食器洗い機の要部拡大断面図
【図３】  本発明の第２の実施例の食器洗い機の要部断面図
【図４】  本発明の第３の実施例の食器洗い機の縦断面図
【図５】  本発明の第４の実施例の食器洗い機の縦断面図
【図６】  同食器洗い機の制御信号波形図
【図７】  本発明の第５の実施例の食器洗い機の要部断面図
【図８】  従来の食器洗い機の縦断面図
【図９】  同食器洗い機の要部断面図
【符号の説明】
１  洗浄槽
４  食器
５  食器かご
９  洗浄ポンプ
１６  水平ノズル
１８  整流壁
１９  タワーノズル
２３  ノズル管
【図１】
0003861444.tif 000002
【図２】
0003861444.tif 000003
【図３】
0003861444.tif 000004
【図４】
0003861444.tif 000005
【図５】
0003861444.tif 000006
【図６】
0003861444.tif 000007
【図７】
0003861444.tif 000008
【図８】
0003861444.tif 000009
【図９】
0003861444.tif 000010